【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
A）200〜5,000g/molの数平均分子量Mnを有する脂肪族オリゴカーボネートポリオール5〜95wt%、
B）200〜5,000g/molの数平均分子量を有するオリゴエステルポリオール95〜5wt%、
からなり、
A）およびB）の量が合計100wt%になる、バインダー組成物。
【請求項２】
成分A）の量が20〜50wt%であり、成分B）の量が80〜50wt%である、請求項1に記載のバインダー組成物。
【請求項３】
１以上の脂肪族オリゴカーボネートポリオールの少なくとも１つが、200〜2,000g/molの分子量を有し、かつ1,4−ブタンジオール、1,6−ヘキサンジオール、3−メチル−1,5−ペンタンジオール、1,4−シクロヘキサンジメタノール、トリメチロールプロパン、グリセロールおよびそれら混合物からなる群より選択される化合物に基づく、請求項1に記載のバインダー組成物。
【請求項４】
１以上の脂肪族オリゴエステルポリオールの少なくとも１つが、200〜2,000g/molの分子量を有し、かつε−カプロラクトンおよび1,4−ブタンジオール、1,6−ヘキサンジオール、3−メチル−1,5−ペンタンジオール、1,4−シクロヘキサンジメタノール、トリメチロールプロパン、グリセロール、ペンタエリスリトールならびにそれらの混合物からなる群より選択される化合物に基づく、請求項1に記載のバインダー組成物。
【請求項５】
請求項1に記載のバインダー組成物と、架橋剤成分を含んでなるコーティング組成物。
【請求項６】
さらにポリアクリレートポリオール成分を含んでなる、請求項5に記載のコーティング組成物。
【請求項７】
架橋剤成分は、１以上のアミノ樹脂を含んでなる、請求項5に記載のコーティング組成物。
【請求項８】
架橋剤成分は、HDI、IPDIおよび／または4,4'−ジイソシアナト−ジシクロヘキシルメタンに基づくイソシアヌレート構造を有する場合によりブロック化された１以上のポリイソシアネートまたはポリイソシアネート混合物を含む、請求項5に記載のコーティング組成物。
【請求項９】
イソシアネート反応性基に対する遊離および場合によりブロック化されたNCO基のNCO/OH比が0.5〜1.2である、請求項8に記載のコーティング組成物。
【請求項１０】
請求項5に記載のコーティング組成物から得られるコーティング。
【請求項１１】
請求項10に記載のコーティングでコートされた基材。
【手続補正２】
【補正対象書類名】明細書
【補正対象項目名】０００５
【補正方法】変更
【補正の内容】
【０００５】
かかる2成分ポリウレタンコーティング組成物では、全体として非常に良好なレベルの特性が得られているが、透明コートの引掻き傷発生が、洗車における頻繁な洗浄の後、特に、暗色の場合に高頻度に観測される。
塗装フィルムの弾性調節に応じて、引掻き傷は経時的に減退し、これは、いわゆるリフローとして知られるものである。しかしながら、リフロー挙動を改善するために透明コートの弾性を増大させると、塗装は表面硬度を失い、特に溶媒および化学薬品に対するその抵抗性、とりわけ、酸に対するその抵抗性が損なわれる[Carl Hanser Verlag, Munich, MO Metalloberflaeche 54 (2000)60-64]。したがって、主に、ポリアクリレートと、より弾性のポリエステルとの組成物によってポリオール成分の弾性を増大させることにより、2成分PURペイントの引掻き抵抗性を改善する努力が行なわれている。
【手続補正３】
【補正対象書類名】明細書
【補正対象項目名】００１３
【補正方法】変更
【補正の内容】
【００１３】
したがって、本発明は、
A）200〜5,000g/molの数平均分子量Mnを有する１以上の脂肪族オリゴカーボネートポリオール5〜95wt%、および
B）200〜5,000g/molの数平均分子量Mnを有する１以上のオリゴエステルポリオール95〜5wt%、
からなり、
A）およびB）の量が合計100wt%になる、バインダー組成物を提供する。
【手続補正４】
【補正対象書類名】明細書
【補正対象項目名】００２６
【補正方法】変更
【補正の内容】
【００２６】
OH基に対して反応性である架橋性樹脂D）は、ウレトジオン、イソシアヌレート、アロファネート、ビウレット、イミノオキサジアジンジオンおよび／またはオキサジアジントリオン構造で、少なくとも２つのジイソシアネートで構成されている単純な脂肪族、脂環式、芳香脂肪族および／または芳香族ジイソシアネートを修飾することによって調製される任意のポリイソシアネートであり、これは、一例として、例えば、J. Prakt. Chem. 336 (1994）185-200；文献DE-A1670666、1954093、2414413、2452532、2641380、3700209、3900053および3928503またはEP-A336205、339396および798299に記載されている。
【手続補正５】
【補正対象書類名】明細書
【補正対象項目名】００３４
【補正方法】変更
【補正の内容】
【００３４】
塗料技術において知られるメラミンおよびホルムアルデヒドの縮合生成物または尿素およびホルムアルデヒドの縮合生成物は、アミノ樹脂であるとみなされる。1〜4個の炭素原子を有する飽和モノアルコールでエーテル化されない、またはエーテル化された全ての慣用的なメラミンホルムアルデヒド縮合生成物が適する。他の架橋剤成分を併用する場合、NCO反応性ヒドロキシル基を有するバインダーの量は、相応に調整しなければならない。
【手続補正６】
【補正対象書類名】明細書
【補正対象項目名】００３８
【補正方法】変更
【補正の内容】
【００３８】
このような他のポリヒドロキシル化合物は、慣用的なポリエーテルポリオールまたはポリウレタンポリオール、または本明細書に記載されていない、ポリカーボネート、ポリエステルおよびポリアクリレートポリオールであり得る。本発明によるポリオール組成物A）およびB)に加え、既述したそれ自体既知のポリアクリレートポリオールC)を、さらなる有機ポリヒドロキシル化合物として好適に用いられる。アミン型反応性希釈剤は、ブロック化アミノ基を有する生成物（例えば、アルジミンもしくはケチミンなど）、または依然として遊離しているが反応性が減衰したアミノ基を含有するもの（例えば、アスパラギン酸エステルなど）であり得る。一般に、このような反応性希釈剤は１つより多くの（ブロック化）アミノ基を含有し、そのため、架橋反応中での高分子塗装膜網目の構築に寄与する。
【手続補正７】
【補正対象書類名】明細書
【補正対象項目名】００４４
【補正方法】変更
【補正の内容】
【００４４】
Desmophen（登録商標）A 870：ヒドロキシル基含有ポリアクリレート（Bayer MaterialScience AG（Leverkusen, DE）製）；酢酸ブチル中約70%、DIN 53 240/2によるヒドロキシル含量約2.95%。
【手続補正８】
【補正対象書類名】明細書
【補正対象項目名】００４５
【補正方法】変更
【補正の内容】
【００４５】
Desmophen（登録商標）VP LS 2971：弾性（elasticizing）、ヒドロキシル基含有ポリエステル（Bayer MaterialScience AG（Leverkusen, DE）製）；酢酸ブチル中約80%、DIN 53 240/2によるヒドロキシル含量約3.8%。
【手続補正９】
【補正対象書類名】明細書
【補正対象項目名】００５７
【補正方法】変更
【補正の内容】
【００５７】
以下の特性：Mｎ＝1,002g/mol；OH価=112 mg KOH/g；粘度：1,360mPa・s（23℃）、ハーゼン色数：13 APHAを有する無色の液状オリゴカーボネートジオールが得られた。
【手続補正１０】
【補正対象書類名】明細書
【補正対象項目名】００７１
【補正方法】変更
【補正の内容】
【００７１】
【表３】
2008163312.tif 000001
すべての量は、単位wt%であると理解されたい。
1)DHC Solvent Chemie GmbH, D-45478 Muelheim an der Ruhrの市販品
2)日本曹達（日本）の市販品
3)Synthomer GmbH, Frankfurt/Mainの市販品
【手続補正１１】
【補正対象書類名】明細書
【補正対象項目名】００７６
【補正方法】変更
【補正の内容】
【００７６】
【表５】
2008163312.tif 000002
【手続補正１２】
【補正対象書類名】明細書
【補正対象項目名】００７７
【補正方法】変更
【補正の内容】
【００７７】
ベースと硬化剤との混合および適用：
上記の成分ABC（ベース）およびD（硬化剤）を、各場合において一緒に混合し、均一に攪拌した。次いで、各々の混合物をエアガンによって、黒色ベースコートでプレコートしたコイルコーティングシートに適用し、室温で10分間蒸発させ、次いで、熱風循環型の炉内で140℃にて30分間焼成した。約40μmの乾燥膜厚を有する光輝性の高光沢コーティングが得られた。コーティングの決定したペイント特性の概要を表6に示す。
【手続補正１３】
【補正対象書類名】明細書
【補正対象項目名】００７８
【補正方法】変更
【補正の内容】
【００７８】
【表６】
2008163312.tif 000003